(57)【特許請求の範囲】
【請求項１】
単相三線式配電線上に設置されている過電流保護機能付き漏電遮断器に対して、その過電流保護機能付き漏電遮断器の一次側には、停電事故発生時にのみ点灯する第１の表示ランプを備えた電源側停電検出装置と、漏電事故又は欠相事故発生時にのみ単相三線式配電線から通電されて点灯する第３の表示ランプと、過電流事故発生時にのみ単相三線式配電線から通電されて点灯する第４の表示ランプとを設置するとともに、その過電流保護機能付き漏電遮断器の二次側には、通電時にのみ消灯する第２の表示ランプを備えた負荷側停電検出装置を設置することを特徴とする住居用配電監視装置。
【発明の詳細な説明】
【０００１】
【産業上の利用分野】
本発明は、停電表示，過電流表示、漏電識別表示などの機能を備えた住居用配電監視装置に関する。
【０００２】
【従来の技術】
図４は屋外の単相三線式配電線Ｐから主幹配電盤Ｍ（過電流保護機能付き漏電遮断器Ｎなどの機器を内蔵している。）を通じて、複数個の回路遮断器Ｂ，Ｂ，Ｂ─，Ｂ′，Ｂ′，Ｂ′─を介して住居内の各部屋に配電する分電盤Ｈを示している。この分電盤Ｈは住居用配電監視装置の一部を構成しているが、従来の住居用配電監視装置においては、電源側の停電検出装置及び負荷側（住居側）の停電検出装置は共に、単相三線式配電線Ｐにおいて、主幹配電盤Ｍに内蔵されている過電流保護機能付き漏電遮断器Ｎの二次側に設置されている。
【０００３】
【発明が解決しようとする課題】
ところが上記の従来の住居用配電監視装置では、電源側の停電検出装置は負荷側（住居側）の停電検出装置と同様に、単相三線式配電線Ｐの二次側に設置されているために、単相三線式配電線Ｐ上の何処かに例えばトリップ動作が起こると、このトリップ動作に起因して負荷側（住居側）の停電検出装置が動作して停電事故を表示する。しかし、電源側の停電検出装置も同時に動作して停電事故を表示することになるから、この停電事故は、主幹配電盤Ｍ内の電源側で発生したものか、または負荷側（住居側）で発生したものか、つまり過電流保護機能付き漏電遮断器Ｎの一次側で発生したものか、または二次側で発生したものかを判別できないという問題がある。
【０００４】
本発明は前記のような問題点に鑑み、単相三線式配電線上の何処かに例えばトリップ動作が発生した場合に、そのトリップ動作に起因した停電事故が過電流保護機能付き漏電遮断器の一次側で発生したものか、また二次側で発生したものかを、表示ランプの点灯によりその原因箇所を即座に判別できて、専門家の保守管理者はもちろんのこと電気の素人でも直ちにその停電事故の復旧作業に従事できることを目的としている。
【０００５】
【課題を解決するための手段】
上記目的を達成するための本発明に係る住居用配電監視装置は、単相三線式配電線上に設置されている過電流保護機能付き漏電遮断器に対して、その過電流保護機能付き漏電遮断器の一次側には、停電事故発生時にのみ点灯する第１の表示ランプ（Ｌ１  ）を備えた電源側停電検出装置と、漏電事故又は欠相事故発生時にのみ単相三線式配電線から通電されて点灯する第３の表示ランプ（Ｌ３  ）と、過電流事故発生時にのみ単相三線式配電線から通電されて点灯する第４の表示ランプ（Ｌ４  ）とを設置するとともに、その過電流保護機能付き漏電遮断器の二次側には、通電時にのみ消灯する第２の表示ランプ（Ｌ２  ）を備えた負荷側（住居側）停電検出装置を設置することを特徴とするものである。
【０００７】
【作用】
次に、本発明に係る住居用配電監視装置の作用について述べる。単相三線式配電線上の何処かに停電事故が発生すると、電源側停電検出装置の第１の表示ランプ及び負荷側停電検出装置の第２の表示ランプは、共に点灯することにより回路の停電事故を表示する。
【０００８】
また、漏電事故又は欠相事故発生時にのみ単相三線式配電線から通電されて点灯する第３の表示ランプと、過電流事故発生時にのみ単相三線式配電線から通電されて点灯する第４の表示ランプとを上記過電流保護機能付き漏電遮断器の一次側にさらに設置するので、漏電事故又は欠相事故発生時に第２及び第３の表示ランプが点灯し、過電流事故発生時に第２及び第４の表示ランプが点灯することにより、回路に事故が発生していることを表示するのである。
【０００９】
【実施例】
以下、図面を参照しながら本発明の実施例を具体的に説明する。図１は本発明に係る住居用配電監視装置の一実施例を示す電気回路図であって、通常の正常待機状態を示す電気回路図、図２は同上の電源側停電時状態を示す電気回路図である。
【００１０】
図中のＮは単相三線式配電線Ｐ上に設置された過電流保護機能付き漏電遮断器であるが、内部には単相三線式配電線Ｐの漏電検出機構ｎと過電流検出機構ｎ′とを内蔵しており、漏電検出機構ｎの漏電検出により閉路する接点イと、過電流検出機構ｎ′の過電流検出により開路する接点イ′とを備えている。単相三線式配電線Ｐにおいて、過電流保護機能付き漏電遮断器Ｎの一次側（電源側）には電源側停電検出装置１を設置するとともに、過電流保護機能付き漏電遮断器Ｎの二次側（負荷側）には負荷側（住居側）停電検出装置２を設置するものである。そして電源側停電検出装置１は停電表示ランプＬ１  を備えているとともに、負荷側（住居側）停電検出装置２には停電表示ランプＬ２  を備えている。
【００１１】
先ず、通常の正常待機状態を示す電気回路図である図１に付いて述べる。Ｘ１  は電源側停電検出装置１の両端に挿入されたリレーであって、そのリレーＸ１  の動作により開閉する接点ｘ１  （ブレーク接点）は、単相三線式配電線Ｐの電源の一端と漏電検出機構ｎの漏電検出により閉路する接点イの常開側との間に接続されている。Ｘ２  は単相三線式配電線Ｐの電源線の一端と中性線との間に挿入されたリレーであって、そのリレーＸ２  の動作により開閉する接点ｘ２  （メーク接点）は、リレーＸ３  の接点ｘ３  （ブレーク接点）とランプＬ４  に直列に挿入されており、その直列回路は、リレーＸ１  の動作により開閉する接点ｘ１  （ブレーク接点）を介して、単相三線式配電線Ｐの電源の一端と中性線との間に挿入されている。表示ランプＬ３  は、接点ｘ３  ′（メーク接点）（前記リレーＸ３  の接点ｘ３  とは他の接点）ととともに直列に接続されており、この直列回路も、リレーＸ１  の動作により開閉する接点ｘ１  を介して単相三線式配電線Ｐの電源の一端と中性線との間に直列に挿入されている。
【００１２】
次に、電力側停電時状態を示す電気回路図である図２に付いて述べる。図２の接点ｘ１  ′（開），接点ｘ２  ′（閉），接点ｘ３  ′（閉）及び接点ｘ３１′（開）は、図１の接点ｘ１  ，接点ｘ２  ，接点ｘ３  及び接点ｘ３  ′にそれぞれ対応しているが、回路中のその他の回路素子は図１の場合と同様である。なお、図１，２において、Ｆは電源ヒューズである。
【００１３】
次に本発明の動作状態を示すと表１のようになる。この表１は、本発明に係る住居用配電監視装置が動作して、（Ａ）は通常の正常待機時，（Ｂ）は電源側停電時，（Ｃ）は過電流事故発生時，（Ｄ）は漏電事故または欠相事故発生時において、それぞれリレーＸ１  ，Ｘ２  及びリレーＸ３  のコイル通電状態、表示ランプＬ１  ，Ｌ２  ，Ｌ３  及びＬ４  の点灯状態を表したものである。
【００１４】
また、図３は電源側停電検出装置１内部の電気回路図を示している。通常状態では単相三線式配電線Ｐの電源Ｅから内部回路Ｇ及びコイルＪに通電しており、コイルＪの通電により接点ｋはａ側に接触しているから表示ランプＬ１  は点灯していない。ところが、電源Ｅ側に停電事故が発生するとコイルＦの通電が断たれるから、接点ｋは反転してｂ側に接触することになり、蓄電池Ｅにより表示ランプＬ１  が点灯して停電事故を表示するのである。
【００１５】
【表１】
0003587392.tif 000002
【００１６】
この表１から判るように、単相三線式配電線Ｐ上の何処かに停電事故が発生すると、電源側停電検出装置１の表示ランプＬ１  及び負荷側停電検出装置２の表示ランプＬ２  は、共に点灯することにより回路の停電事故を表示する。また電源側停電時（Ｂ），過電流事故発生時（Ｃ）及び漏電事故または欠相事故発生時（Ｄ）の何れの場合でも、負荷側（住居側）停電検出装置２の表示ランプＬ２  が点灯することにより、回路に事故が発生していることを表示するのである。
【００１７】
【発明の効果】
本発明は前記のように、単相三線式配電線上に設置されている過電流保護機能付き漏電遮断器に対して、その過電流保護機能付き漏電遮断器の一次側には、停電事故発生時にのみ点灯する第１の表示ランプを備えた電源側停電検出装置と、漏電事故又は欠相事故発生時にのみ単相三線式配電線から通電されて点灯する第３の表示ランプと、過電流事故発生時にのみ単相三線式配電線から通電されて点灯する第４の表示ランプとを設置するとともに、その過電流保護機能付き漏電遮断器の二次側には、通電時にのみ消灯する第２の表示ランプを備えた負荷側停電検出装置を設置したから、停電事故が過電流保護機能付き漏電遮断器の一次側で発生したものか、また二次側で発生したものかを、第１の表示ランプの状態によりその原因箇所を即座に判別できる効果がある。
【００１８】
特に、同発明では、停電事故のうち漏電事故又は欠相事故発生時によるトリップ動作に起因したものの場合には、第３の表示ランプが点灯し、過電流事故発生時によるトリップ動作に起因したものの場合には、第４の表示ランプが点灯するので、停電事故の原因が判別できる効果がある。
【図面の簡単な説明】
【図１】本発明に係る住居用配電監視装置の一実施例を示す電気回路図であって、通常の正常待機状態を示す電気回路図。
【図２】同上の電源側停電時状態を示す電気回路図。
【図３】同上の電源側停電検出装置内部の電気回路図。
【図４】分電盤の内部回路構成図。
【符号の説明】
１                      電源側停電検出装置
２                      負荷側（住居側）停電検出装置
Ｐ                      単相三線式配電線
Ｎ                      過電流保護機能付き漏電遮断器
ｎ                      漏電検出機構
ｎ′                    過電流検出機構
イ，イ′                接点
Ｘ１  ，Ｘ２  ，Ｘ３          リレー
Ｌ１  ，Ｌ２  ，Ｌ３  ，Ｌ４    表示ランプ
【図１】
0003587392.tif 000003
【図２】
0003587392.tif 000004
【図３】
0003587392.tif 000005
【図４】
0003587392.tif 000006